(57)【要約】【課題】  空気マグネシウム電池で給電することにより、使用上の利便性及び環境保護効果に優れた手持ちライトを提供する。【解決手段】フレーム部材と、前記フレーム部材の収容フレームに回転可能に設置される円筒状の本体と、前記本体の内部に充填される反応液体と、前記反応液体に選択的に浸漬されるカソード部材及びアノード部材と、前記アノード部材を保持する封止部材と、前記封止部材の外面に取り付けられると共に、前記本体の回転を制御する蓋部材と、前記カソード部材及び前記アノード部材と電気接続されると共に、前記本体の開口に水密的に取り付けられる発光部材とを有することを特徴とする。【選択図】  図１
0003177589.tif 000002
【実用新案登録請求の範囲】
【請求項１】
収容フレームと、該収容フレームから延出する取手部とを有するフレーム部材と、
前記フレーム部材の収容フレームに回転可能に設置され、筒体と、前端と、後端と、内部空間と、前端に形成される開口と、該内部空間と連通するように筒体を貫設される設置孔と、該内部空間に連通するように筒体を貫設される通気穴とを有する円筒状の本体と、
前記本体の内部空間に充填され、水と塩水とからなる群から選択される反応液体と、
前記設置孔に取り付けられるプレート状の水密部材と、前記反応液体に選択的に浸漬されると共に、該設置穴を覆うように該水密部材に取り付けられる空気電極膜と、該設置穴に取り付けられると共に、前記空気電極膜を位置決めする防水材料と、該設置孔を封止するカバーとを有するカソード部材と、
マグネシウムからなり、前記カソード部材と共に前記反応液体に選択的に浸漬されるアノード部材と、
前記本体の後端を封止し、該本体の内部空間に面する内面と、該内面と反対する側に位置する外面と、該本体の内部空間と連通する中央貫通穴と、前記アノード部材を保持するために前記中央貫通穴と周縁との間に設けられる保持部材と、外面における中央貫通穴と周縁との間に形成される少なくとも１つの凹入部とを有する封止部材と、
前記封止部材の外面に取り付けられ、該封止部材の外面に面する第一表面と、該第一表面と反対する側に位置する第二表面と、前記第一表面に設けられる回転制御部と、前記第二表面に設けられると共に、夫々前記少なくとも１つの凹入部に嵌入される少なくとも１つの突出部と、前記第二表面に設けられると共に、前記中央貫通穴を水密状態に封止するプラグとを有する蓋部材と、
前記カソード部材及びアノード部材と電気接続されると共に、前記本体の開口に水密状態で取り付けられる発光部材と、を有することを特徴とする手持ちライト。
【請求項２】
前記保持部材は、前記封止部材から本体の内部空間へ延出する管状部材と、該管状部材に着脱可能に設けられると共に、前記アノード部材を固定する固定部を有する挟持部材と、該管状部材と挟持部材との間に設けられるＯリングと、該挟持部材に取り付けられると共に、該固定部に固定されるアノード部材に螺入されるネジと、を有することを特徴とする請求項１に記載の手持ちライト。
【請求項３】
前記フレーム部材は、前記収容フレームから取手部と反対する方向へ延出する脚部を有し、
前記発光部材は、前記本体の開口に取り付けられる被嵌部材と、前記被嵌部材における本体の反対する側に取り付けられると共に、前記カソード部材及びアノード部材に電気接続される発光ダイオード部材と、該発光ダイオード部材が発生する光束を調整するレンズと、該レンズと発光ダイオード部材との相対位置を維持する環設部材とを有し、
前記本体は、前記通気穴と連通するノズルを有することを特徴とする請求項１又は請求項２に記載の手持ちライト。
【考案の詳細な説明】
【技術分野】
【０００１】
本考案は、特に空気マグネシウム電池により給電を行う手持ちライトに関するものである。
【背景技術】
【０００２】
従来の手持ちライトは、本体と、該本体に設けられる、例えば電球や発光ダイオードなどの発光部材と、該発光部材に給電を行う、例えば蓄電池または一次電池などからなるものである。
【考案の概要】
【考案が解決しようとする課題】
【０００３】
しかしながら、前記一次電池は、電圧が一定以下まで低下してしまうと寿命となり、一方、前記蓄電池は、充電により何度も使用することができるが、充放電を繰り返す回数が多くなると、充電効果が低下して寿命となってしまうことから、新品の電池を購入し、寿命となった電池と交換しなくてはならないので、実用性に欠けていた。また、寿命が尽きて廃棄される前記一次電池や蓄電池が埋立処分されると、環境汚染が心配され、一方、前記使用済みの電池を回収して特殊処理を施しても、その回収や処理に相当の費用がかかることから、使用済み電池を交換するたびに、環境汚染の不安が増大し、回収や処理の費用も増してしまう。
【０００４】
そこで、案出されたのが本考案であって、空気マグネシウム電池により給電を行う構成とすることにより、使用上の利便性や環境保護効果を向上できる手持ちライトを提供することを目的としている。
【課題を解決するための手段】
【０００５】
本願の請求項１の考案は、収容フレームと、該収容フレームから延出する取手部とを有するフレーム部材と、
前記フレーム部材の収容フレームに回転可能に設置され、筒体と、前端と、後端と、内部空間と、前端に形成される開口と、該内部空間と連通するように筒体を貫設される設置孔と、該内部空間に連通するように筒体を貫設される通気穴とを有する円筒状の本体と、
前記本体の内部空間に充填され、水と塩水とからなる群から選択される反応液体と、
前記設置孔に取り付けられるプレート状の水密部材と、前記反応液体に選択的に浸漬されると共に、該設置穴を覆うように該水密部材に取り付けられる空気電極膜と、該設置穴に取り付けられると共に、前記空気電極膜を位置決めする防水材料と、該設置孔を封止するカバーとを有するカソード部材と、
マグネシウムからなり、前記カソード部材と共に前記反応液体に選択的に浸漬されるアノード部材と、
前記本体の後端を封止し、該本体の内部空間に面する内面と、該内面と反対する側に位置する外面と、該本体の内部空間と連通する中央貫通穴と、前記アノード部材を保持するために前記中央貫通穴と周縁との間に設けられる保持部材と、外面における中央貫通穴と周縁との間に形成される少なくとも１つの凹入部とを有する封止部材と、
前記封止部材の外面に取り付けられ、該封止部材の外面に面する第一表面と、該第一表面と反対する側に位置する第二表面と、前記第一表面に設けられる回転制御部と、前記第二表面に設けられると共に、夫々前記少なくとも１つの凹入部に嵌入される少なくとも１つの突出部と、前記第二表面に設けられると共に、前記中央貫通穴を水密状態に封止するプラグとを有する蓋部材と、
前記カソード部材及びアノード部材と電気接続されると共に、前記本体の開口に水密状態で取り付けられる発光部材と、を有することを特徴とする手持ちライト、を提供する。
【０００６】
本願の請求項２の考案は、前記保持部材は、前記封止部材から本体の内部空間へ延出する管状部材と、該管状部材に着脱可能に設けられると共に、前記アノード部材を固定する固定部を有する挟持部材と、該管状部材と挟持部材との間に設けられるＯリングと、該挟持部材に取り付けられると共に、該固定部に固定されるアノード部材に螺入されるネジと、を有することを特徴とする請求項１に記載の手持ちライト、を提供する。
【０００７】
本願の請求項３の考案は、前記フレーム部材は、前記収容フレームから取手部と反対する方向へ延出する脚部を有し、
前記発光部材は、前記本体の開口に取り付けられる被嵌部材と、前記被嵌部材における本体の反対する側に取り付けられると共に、前記カソード部材及びアノード部材に電気接続される発光ダイオード部材と、該発光ダイオード部材が発生する光束を調整するレンズと、該レンズと発光ダイオード部材との相対位置を維持する環設部材とを有し、
前記本体は、前記通気穴と連通するノズルを有することを特徴とする請求項１又は請求項２に記載の手持ちライト、を提供する。
【考案の効果】
【０００８】
本考案は上記の課題を解決するものであり、空気マグネシウム電池により給電を行う構成を有するので、蓋部材を取外し、前記中央貫通穴から水を注入することにより簡単に使用することができると共に、環境保護にも寄与することができる。
【図面の簡単な説明】
【０００９】
【図１】本考案に係る手持ちライトの斜視図である。
【図２】本考案に係る手持ちライトの部分分解斜視図である。
【図３】本考案に係る手持ちライトの分解斜視図である。
【図４】本考案に係る手持ちライトの側面断面図である。
【図５】本考案に係る手持ちライトの使用状態を示す断面図である。
【図６】本考案に係る手持ちライトの使用状態を示す他の断面図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図３に示すように、本考案の手持ちライトは、フレーム部材１０と、本体２０と、反応液体３０と、カソード部材４０と、アノード部材５０と、封止部材６０と、蓋部材７０と、発光部材８０とを有する。
【００１２】
前記フレーム部材１０は、収容フレーム１１と、該収容フレーム１１から延出する取手部１２とを有する。前記取手部１２を持ち、前記フレーム部材１０及び本体２０を共に持ち上げて使用することができる。また、前記フレーム部材１０が前記収容フレーム１１から取手部１２と反対方向へ延出される脚部１３を有することが好ましい。該脚部１３により、簡単に本考案の手持ちライトを放置することができる。
【００１３】
前記本体２０は、前記フレーム部材１０の収容フレーム１１に回転可能に設置され、筒体２１と、前端２２と、後端２３と、内部空間２５と、前端２２に形成される開口２４と、前記内部空間２５に連通されるように筒体２１を貫通し形成される設置孔２６と、前記内部空間２５に連通されるように筒体２１を貫通し形成される通気穴２７とを有する、円筒状を呈するものであり、この構成によれば、該本体２０の内部空間２５に発生した気体を、前記通気穴２７を通して該本体２０の外部へ排出することができる。尚、前記本体２０は、前記通気穴２７と連通するノズル２８を有してもよい。
【００１４】
また、図４に示すように、前記反応液体３０は、前記本体２０の内部空間に充填され、水であることが好ましいが、塩水などの電解液であっても構わない。
【００１５】
前記カソード部材４０は、前記設置孔２６に取り付けられ、前記設置孔２６に設けられる枠状の防水材料４１と、前記反応液体３０に選択的に浸漬されると共に、前記設置穴２６を覆うように前記防水材料４１に取り付けられる空気電極膜４２と、前記設置穴２６に取り付けられると共に、前記空気電極膜４２を位置決めする固定部材４３と、前記設置孔２６を封止させるカバー４４とを有し、この構成によれば、前記空気電極膜４２は、液体は透過しないが、気体は透過する、空気電極用の薄膜材料である。
【００１６】
前記アノード部材５０は、マグネシウムからなり、前記カソード部材４０と共に前記反応液体３０に選択的に浸漬され、該カソード部材４０とアノード部材５０とを共に前記反応液体３０に浸漬させると、該カソード部材４０、アノード部材５０及び反応液体３０が空気マグネシウム電池を構成し、該カソード部材４０及びアノード部材５０と電気接続される回路へ給電を行い、反対に、前記本体２０を前記フレーム部材１０に対して、前記カソード部材４０及びアノード部材５０が共に前記反応液体３０に浸漬されない位置に回転させれば、該反応液体３０と、該反応液体３０に浸漬されていないカソード部材４０及びアノード部材５０が電池を構成しなくなるので、給電が中断される。
【００１７】
前記封止部材６０は、本体２０の後端２３を封止し、前記本体２０の内部空間２５に面する内面と、該内面と反対側に位置する外面と、前記本体２０の内部空間２５に連通される中央貫通穴６５と、前記アノード部材５０を保持するために前記中央貫通穴６５と該封止部材６０の周縁との間に設けられる保持部材６６と、該封止部材６０の外面における中央貫通穴６５と周縁６２との間に形成される少なくとも１つの凹入部６７とを有し、この構成によれば、該反応液体３０を中央貫通穴６５から本体２０の内部空間２５へ注入し、もしくは、前記本体２０の内部空間２５における使用済みの反応液体３０を排出することができ、また、前記マグネシウムからなるアノード部材５０を前記保持部材６６に取り付ければ、前記反応液体３０に選択的に浸漬することができる。
【００１８】
前記保持部材６６は、前記封止部材６０から前記本体２０の内部空間２５へ突出される管状部材６６１と、前記管状部材６６１に着脱可能に設けられると共に、前記アノード部材５０を固定させる固定部６６２を有する挟持部材６６３と、該管状部材６６１と挟持部材６６３と間に設けられるＯリング６６４と、前記挟持部材６６３に取り付けられると共に、前記固定部６６２に固定されるアノード部材５０に螺入されるネジ６６５とを有し、この構造によれば、前記アノード部材５０を前記固定部６６２に固定させ、ネジ６６５をアノード部材５０に螺入させることにより、該アノード部材５０を前記本体２０の内部空間２５における、前記カソード部材４０と共に、選択的に前記反応液体３０に浸漬することができる。
【００１９】
前記蓋部材７０は、前記封止部材６０の外面６４に取り付けられ、前記封止部材６０の外面６４に面する第一表面７１と、該第一表面７１と反対側に位置する第二表面７２と、前記第一表面７１に設けられると共に、夫々前記少なくとも１つの凹入部６７に嵌入される少なくとも１つの突出部７３と、前記第二表面７２に設けられる回転制御部７４と、前記第一表面７１に設けられると共に、前記中央貫通穴６５を水密に封止させるプラグ７５とを有する。尚、前記回転制御部７３は、突出状を呈するものであることが好ましく、また、前記プラグ７５の外周壁にパッキン７５１が取り付けられてもよい。
【００２０】
前記発光部材８０は、前記カソード部材４０及び前記アノード部材５０と電気接続されると共に、前記本体２０の開口２４に水密的に取り付けられ、この構成によれば、反応液体３０及び、共に該反応液体３０に浸漬された前記カソード部材４０と前記アノード部材５０とが空気マグネシウム電池を構成し、該発光部材８０へ給電を行うことにより発光させることができる。前記本体２０を前記フレーム部材１０に対して回転させ、前記カソード部材４０及びアノード部材５０を該反応液体３０に浸漬されない位置まで移動させれば、電池が構成されず、該発光部材８０への電力が中断されるので、該発光部材８０の発光を停止させることができる。
【００２１】
前記発光部材８０は、前記本体２０の開口２４に取り付けられる被覆部材８１と、前記被覆部材８１における前記本体２０の反対側に取り付けられると共に、前記カソード部材４０及び前記アノード部材５０とにコントロール回路などにより電気接続させられる発光ダイオード部材８２と、前記発光ダイオード部材８２が発生する光束を調整するレンズ８４と、前記レンズ８４と前記発光ダイオード部材８２との相対位置を維持する環設部材８５とを有する。
【産業上の利用可能性】
【００２２】
本考案は上記の構成を有するので、利便性に優れると共に、環境保護にも寄与することができる。
【符号の説明】
【００２３】
１０            フレーム部材
１１            収容フレーム
１２            取手部
１３            脚部
２０            本体
２１            筒体
２２            前端
２３            後端
２４            開口
２５            内部空間
２６            設置孔
２７            通気穴
２８            ノズル
３０            反応液体
４０            カソード部材
４１            防水材料
４２            空気電極膜
４３            固定部材
４４            カバー
５０            アノード部材
６０            封止部材
６５            中央貫通穴
６６１            管状部材
６６２            固定部
６６３            挟持部材
６６４            Ｏリング
６６５            ネジ
６６            保持部材
６７            凹入部
７０            蓋部材
７１            第一表面
７２            第二表面
７３            回転制御部
７４            突出部
７５            プラグ
８０            発光部材
８１            被覆部材
８２            発光ダイオード部材
８４            レンズ
８５            環設部材
【図１】
0003177589.tif 000003
【図２】
0003177589.tif 000004
【図３】
0003177589.tif 000005
【図４】
0003177589.tif 000006
【図５】
0003177589.tif 000007
【図６】
0003177589.tif 000008